(57)【要約】【課題】極薄い液体セル、プリズム光学系、およびシリコンロッドなどを用いずに、テラヘルツ波に対して大きな吸収を有する物質中の微量な分子などのテラヘルツ透過スペクトル測定を良好に行うことを可能にする。【解決手段】入力されたテラヘルツ波が、第１の分岐路５６Ａと第２の分岐路５６Ｂとに２分岐して伝搬された後、出力端側で１つの経路に合成されて出力されるような導波路構造とする。被測定対象物を収容するための収容部を、導波路の周囲において、導波路を伝搬するテラヘルツ波がエバネッセント波として伝搬する領域を含む領域に形成する。導波路が２分岐構造であるため、収容部を第１の収容部５２Ａと第２の収容部５２Ｂとを含む構造にすることが可能である。これにより位相差検出法を行うことができ、強い吸収物質中の微量な分子などの測定が可能になる。【選択図】図１
2011169640.tif 000002
【特許請求の範囲】
【請求項１】
テラヘルツ波が入力される入力端と前記テラヘルツ波が出力される出力端とを含む基板と、
前記基板において前記入力端と前記出力端との間に形成され、前記テラヘルツ波が伝搬する導波路と、
前記導波路の周囲において、前記導波路を伝搬するテラヘルツ波がエバネッセント波として伝搬する領域を含む領域に形成され、被測定対象物が収容される収容部と
を備え、
前記導波路が、前記入力端と前記出力端との間で経路が分岐する第１の分岐路と第２の分岐路とを含み、前記入力端から入力された前記テラヘルツ波が、前記第１の分岐路と前記第２の分岐路とに２分岐して伝搬された後、前記出力端側で１つの経路に合成されて出力される構造とされている
テラヘルツ分光用デバイス。
【請求項２】
前記収容部として、第１の収容部と第２の収容部とを含み、
前記第１の収容部が、前記第１の分岐路を伝搬するテラヘルツ波がエバネッセント波として伝搬する領域を含む領域に形成され、
前記第２の収容部が、前記第２の分岐路を伝搬するテラヘルツ波がエバネッセント波として伝搬する領域を含む領域に形成されている
請求項１に記載のテラヘルツ分光用デバイス。
【請求項３】
前記基板内に形成された空隙部をさらに備え、
前記導波路は、周囲が前記空隙部に囲まれることによって形成されたエアクラッド型の導波路構造である
請求項１に記載のテラヘルツ分光用デバイス。
【請求項４】
前記空隙部が、前記収容部としての機能を兼ねている
請求項３に記載のテラヘルツ分光用デバイス。
【請求項５】
前記導波路は、断面積が１００ｍｍ2未満である
請求項３に記載のテラヘルツ分光用デバイス。
【請求項６】
前記基板を貫通する複数の孔部をさらに備え、
前記導波路は、周囲が前記複数の孔部に囲まれることによって形成されたフォトニック結晶型の導波路構造である
請求項１に記載のテラヘルツ分光用デバイス。
【請求項７】
前記収容部は、前記基板における第１の面側が開放されると共に、前記第１の面に対向する第２の面側が閉じた領域とされた掘り込み型の構造を有し、
前記収容部における前記第２の面側の厚みは、前記テラヘルツ波の波長未満の厚みとされている
請求項１に記載のテラヘルツ分光用デバイス。
【請求項８】
前記基板は、前記テラヘルツ波を透過する単一の材料からなる
請求項１ないし７のいずれか１項に記載のテラヘルツ分光用デバイス。
【請求項９】
テラヘルツ波を発生する発生手段と、
前記発生手段で発生されたテラヘルツ波が入力されるテラヘルツ分光用デバイスと、
前記テラヘルツ分光用デバイスを伝搬した後のテラヘルツ波を検出する検出手段と
を備え、
前記テラヘルツ分光用デバイスは、
前記テラヘルツ波が入力される入力端と前記テラヘルツ波が出力される出力端とを含む基板と、
前記基板において前記入力端と前記出力端との間に形成され、前記テラヘルツ波が伝搬する導波路と、
前記導波路の周囲において、前記導波路を伝搬するテラヘルツ波がエバネッセント波として伝搬する領域を含む領域に形成され、被測定対象物が収容される収容部と
を有し、
前記導波路が、前記入力端と前記出力端との間で経路が分岐する第１の分岐路と第２の分岐路とを含み、前記入力端から入力された前記テラヘルツ波が、前記第１の分岐路と前記第２の分岐路とに２分岐して伝搬された後、前記出力端側で１つの経路に合成されて出力される構造とされている
テラヘルツ分光装置。
【請求項１０】
前記収容部として、第１の収容部と第２の収容部とを含み、
前記第１の収容部が、前記第１の分岐路を伝搬するテラヘルツ波がエバネッセント波として伝搬する領域を含む領域に形成され、
前記第２の収容部が、前記第２の分岐路を伝搬するテラヘルツ波がエバネッセント波として伝搬する領域を含む領域に形成されている
請求項９に記載のテラヘルツ分光装置。
【請求項１１】
前記テラヘルツ分光用デバイスにおいて、前記第１の収容部に参照用の試料を収容すると共に、前記第２の収容部に被測定対象物を収容し、
前記検出手段は、前記第１の分岐路を伝搬したテラヘルツ波と前記第２の分岐路を伝搬したテラヘルツ波との位相差成分を検出する
請求項１０に記載のテラヘルツ分光装置。
【請求項１２】
前記導波路および前記収容部から離れた位置において前記基板を部分的に支持することにより、前記テラヘルツ分光用デバイスを空間中に浮かせた状態で測定を行う
請求項９ないし１１のいずれか１項に記載のテラヘルツ分光装置。
【請求項１３】
テラヘルツ波が入力される入力端と前記テラヘルツ波が出力される出力端とを含む基板と、
前記基板において前記入力端と前記出力端との間に形成され、前記テラヘルツ波が伝搬する導波路と、
前記導波路の周囲において、前記導波路を伝搬するテラヘルツ波がエバネッセント波として伝搬する領域を含む領域に形成され、被測定対象物が収容される収容部と
を備え、
前記導波路が、前記入力端と前記出力端との間で経路が分岐する第１の分岐路と第２の分岐路とを含み、前記入力端から入力された前記テラヘルツ波が、前記第１の分岐路と前記第２の分岐路とに２分岐して伝搬された後、前記出力端側で１つの経路に合成されて出力される構造とされているテラヘルツ分光用デバイスを、
紫外線硬化樹脂を含む材料を用いて、インプリント成型または光造形により製造する
テラヘルツ分光用デバイスの製造方法。
【発明の詳細な説明】
【技術分野】
【０００１】
本発明は、テラヘルツ波を用いた液体試料のスペクトル分析を行うのに好適なテラヘルツ分光用デバイスおよびその製造方法、ならびにテラヘルツ分光装置に関する。
【背景技術】
【０００２】
近年、テラヘルツ波を利用した技術が注目を集めており、テラヘルツ波を用いた分光やイメージングが産業応用として期待されている。例えば、テラヘルツ波の応用分野として、フォトンエネルギーがＸ線に比べて極めて小さいことを利用して安全な透視検査装置としてテラヘルツイメージングを行う技術や、分子の振動準位や回転準位に起因する物質の吸収スペクトルや複素誘電率を求めて物質の状態や同定を行う分光技術がある。また、半導体基板のキャリア濃度や移動度の評価、またＬＳＩチップにフェムト秒レーザを照射することにより発生するテラヘルツから配線欠陥位置を検知する技術などが開発されている。
【０００３】
中でも特許文献１ないし３に開示されているように、テラヘルツ波を用いて分光光学的手法により物質を分析する方法が知られている。これは、テラヘルツ波を被測定対象試料に照射し、透過もしくは反射したテラヘルツ波のスペクトルを得ることで分析を行うものである。
【先行技術文献】
【特許文献】
【０００４】
【特許文献１】特許第４１５４３８８号公報
【特許文献２】特許第４００２１７３号公報
【特許文献３】特開２００７−７１６１０号公報
【非特許文献】
【０００５】
【非特許文献１】Hideki Hirori, et al., "Attenuated total reflection spectroscopy in time domain using terahertz coherent pulses," Jpn.J.Appl.Phys, 43, L1287(2004).
【非特許文献２】Li Cheng, et al., "Terahertz-wave absorption in liquids measured using the evanescent filed of a silicon waveguide," Appl.Phys.Lett, 92, 181104 (2008).
【発明の概要】
【発明が解決しようとする課題】
【０００６】
ところで水は、テラヘルツ波のうち０．３ＴＨｚから３０ＴＨｚの周波数領域に非常に強い吸収スペクトルを有しているため、水を多く含む試料のテラヘルツ分光には数μｍ〜数１０μｍ程度のごく薄い液体セルを用意しなければならない。さらに時間領域でのテラヘルツ分光を行う場合には、試料界面での反射や試料内での干渉の影響を考慮すると共に、試料厚さの正確な測定が必要となる。このため水を含む試料のテラヘルツ透過スペクトルを得ることは従来では困難であった。
【０００７】
そこで、水などの非常に強い吸収スペクトルをテラヘルツ領域に持つ物質の中に含まれる分子などの吸収スペクトルや複素誘電率を求める方法として、非特許文献１に開示されているような全反射減衰分光法と呼ばれる方法が知られている。これは、プリズムを用いた光学系での全反射時に発生するテラヘルツエバネッセント波を利用する方法である。エバネッセント波は、波数ベクトル方向に指数関数的に減衰する電磁場であり、この方法によりテラヘルツ吸収係数を実効的に低減させることで水などの非常に強いテラヘルツ吸収物質中の分子などの分光分析が可能となっている。しかしプリズム光学系を用いた方法では、装置構成が複雑であり、かつ高精度の組み立て技術が必要である。
【０００８】
それに対して非特許文献２に開示されているようにシリコンのロッドをテラヘルツ導波路として、導波路周囲に発生するエバネッセント波をも用いる方法が提案されている。しかしながらこの方法では、シリコンロッドの高精度加工が要求されることや、エバネッセント波の発生条件を容易には調整できないこと、またシリコンロッドの保持が難しい、という問題があり装置構成の複雑化や組み立て技術の高精度化が避けられない。
【０００９】
また特許文献１に開示されているような導波路構造と流路の組み合わせを利用して、流路に充填した液体試料のテラヘルツ波透過スペクトルを得る方法が知られているが、テラヘルツ波伝播方向の流路の厚みを正確に調整しなければならないため、高精度の組み立て技術が必要である。
【００１０】
上述したように非特許文献１，２に記載の方法によって原理的には水などの非常に強い吸収スペクトルを多数持つ物質のテラヘルツ分光は可能であるが、被測定対象物質が水などに比べて微量であり吸収率が極端に小さい場合には、吸収分光では正確な分光計測を行うことが困難である。
【００１１】
本発明はかかる問題点に鑑みてなされたもので、その目的は、極薄い液体セル、プリズム光学系、およびシリコンロッドなどを用いずに、テラヘルツ波に対して大きな吸収を有する物質中の微量な分子などのテラヘルツ透過スペクトル測定を良好に行うことを可能にするテラヘルツ分光用デバイスおよびその製造方法、ならびにテラヘルツ分光装置を提供することにある。
【課題を解決するための手段】
【００１２】
本発明によるテラヘルツ分光用デバイスは、テラヘルツ波が入力される入力端とテラヘルツ波が出力される出力端とを含む基板と、基板において入力端と出力端との間に形成され、テラヘルツ波が伝搬する導波路と、導波路の周囲において、導波路を伝搬するテラヘルツ波がエバネッセント波として伝搬する領域を含む領域に形成され、被測定対象物が収容される収容部とを備えたものである。そして、導波路が、入力端と出力端との間で経路が分岐する第１の分岐路と第２の分岐路とを含み、入力端から入力されたテラヘルツ波が、第１の分岐路と第２の分岐路とに２分岐して伝搬された後、出力端側で１つの経路に合成されて出力される構造とされているものである。
【００１３】
本発明によるテラヘルツ分光装置は、テラヘルツ波を発生する発生手段と、発生手段で発生されたテラヘルツ波が入力されるテラヘルツ分光用デバイスと、テラヘルツ分光用デバイスを伝搬した後のテラヘルツ波を検出する検出手段とを備えている。
そして、そのテラヘルツ分光用デバイスを、上記本発明のテラヘルツ分光用デバイスで構成したものである。
【００１４】
本発明によるテラヘルツ分光用デバイスまたはテラヘルツ分光装置では、導波路にテラヘルツ波を伝搬させることで、その導波路の近傍にエバネッセント波を発生させる。そのエバネッセント波が伝搬する領域を含む領域に収容部を形成し、被測定対象物を収容することで、テラヘルツ波と被測定対象物とを相互作用させる。これにより、プリズム光学系やシリコンロッドを用いずとも、水などの強いテラヘルツ吸収物質によるテラヘルツ吸収係数を実効的に小さくすることが可能となり、水などの強いテラヘルツ吸収物質中の分子などの吸収スペクトルを良好に得ることが可能となる。
【００１５】
ここで、本発明によるテラヘルツ分光用デバイスまたはテラヘルツ分光装置において、収容部が、第１の収容部と第２の収容部とを含む構造であっても良い。具体的には、第１の収容部が、第１の分岐路を伝搬するテラヘルツ波がエバネッセント波として伝搬する領域を含む領域に形成され、第２の収容部が、第２の分岐路を伝搬するテラヘルツ波がエバネッセント波として伝搬する領域を含む領域に形成されていても良い。
【００１６】
この場合、テラヘルツ分光用デバイスにおいて、第１の収容部に参照用の試料を収容すると共に、第２の収容部に被測定対象物を収容し、検出手段が、第１の分岐路を伝搬したテラヘルツ波と第２の分岐路を伝搬したテラヘルツ波との位相差成分を検出するようにしても良い。
このようにすることで、測定したい物質が水などの強いテラヘルツ吸収物質中に微量だけ含まれる分子のような場合であっても、２つのテラヘルツ導波路（第１および第２の分岐路）を伝搬するテラヘルツ波の位相差として検出することが可能である。位相差検出法では、吸収スペクトルを測定するよりも測定分解能が高くなるため、強い吸収物質中の微量な分子などの測定が可能になる。
【００１７】
本発明によるテラヘルツ分光用デバイスの製造方法は、上記本発明のテラヘルツ分光用デバイスを、紫外線硬化樹脂を含む材料を用いて、インプリント成型または光造形により製造するようにしたものである。
【００１８】
本発明によるテラヘルツ分光用デバイスの製造方法では、上記本発明のテラヘルツ分光用デバイスを、インプリント成型または光造形により大量生産することが可能となる。インプリント成型または光造形により製造可能であるのは、本発明のテラヘルツ分光用デバイスが、例えば数μｍの基板製造誤差が分光性能に大きな影響を与えるということはなく、基板製造時の寸法公差による分光性能への影響を低減できるような構造とされているためである。本発明のテラヘルツ分光用デバイスで用いられているテラヘルツ領域での導波路構造は、例えば光通信帯のフォトニック結晶構造と比べて導波路部分の径等が数１０倍から数１００倍であるため紫外線硬化樹脂を含む材料を用いた光造形やインプリント成型による大量製造生産が可能である。
【発明の効果】
【００１９】
本発明のテラヘルツ分光用デバイスまたはテラヘルツ分光装置によれば、導波路にテラヘルツ波を伝搬させ、またそれによって発生したエバネッセント波が伝搬する領域を含む領域に収容部を形成して、テラヘルツ波と被測定対象物とを相互作用させるようにしたので、プリズム光学系やシリコンロッドを用いずとも、水などの強いテラヘルツ吸収物質によるテラヘルツ吸収係数を実効的に小さくすることが可能となる。これにより、極薄い液体セル、プリズム光学系、およびシリコンロッドなどを用いずに、テラヘルツ波に対して大きな吸収を有する物質のテラヘルツ透過スペクトル測定を良好に行うことが可能となる。
【００２０】
また、導波路を、第１の分岐路と第２の分岐路とを含む構造にしているため、収容部を第１の収容部と第２の収容部とを含む構造にすることが可能である。これにより例えば、第１の収容部に参照用の試料を収容すると共に、第２の収容部に被測定対象物を収容し、２つの分岐路を伝搬したテラヘルツ波の位相差成分を検出することで、測定したい物質が水などの強いテラヘルツ吸収物質中に微量だけ含まれる分子のような場合であっても、高い測定分解性能での測定が可能になる。
【００２１】
本発明のテラヘルツ分光用デバイスの製造方法によれば、上記本発明のテラヘルツ分光用デバイスを、紫外線硬化樹脂を含む材料を用いて、インプリント成型または光造形により製造するようにしたので、大量生産が可能である。これは、上記本発明のテラヘルツ分光用デバイスが、例えば光通信用のフォトニック結晶構造に比べて高精度な製造公差が要求されないことなどによる。
【図面の簡単な説明】
【００２２】
【図１】本発明の第１の実施の形態に係るテラヘルツ分光用デバイスの構成例を示す平面図である。
【図２】図１に示したテラヘルツ分光用デバイスの寸法の一例を示す平面図である。
【図３】図１に示したテラヘルツ分光用デバイスを組み込んだテラヘルツ分光装置の一例を示す構成図である。
【図４】図１に示したテラヘルツ分光用デバイスをテラヘルツ分光装置に導入する場合の設置方法の一例を示す斜視図である。
【図５】（Ａ）は図４に示したテラヘルツ分光装置によって検出されるテラヘルツ波の検出結果の一例を示す波形図であり、（Ｂ）は（Ａ）の波形に基づいて得られるテラヘルツ波のスペクトル波形を示す波形図である。
【図６】位相差検出法を用いずに収容部に被測定対象物が収容されていない状態で得られるテラヘルツ波のスペクトル波形の一例を示す波形図である。
【図７】位相差検出法を用いずに収容部に被測定対象物を収容した状態で得られるテラヘルツ波のスペクトル波形の一例を示す波形図である。
【図８】図６のスペクトル波形と図７のスペクトル波形とから求められる被測定対象物のテラヘルツ波に対する吸収スペクトル波形を示す波形図である。
【図９】図１に示したテラヘルツ分光用デバイスを用いて位相差検出法により得られたテラヘルツ波に対するスペクトル波形を示す波形図である。
【図１０】第２の実施の形態に係るテラヘルツ分光用デバイスの構成例を示す平面図である。
【図１１】図１０に示したテラヘルツ分光用デバイスの寸法の一例を示す平面図である。
【発明を実施するための形態】
【００２３】
以下、本発明の実施の形態について図面を参照して詳細に説明する。
【００２４】
＜第１の実施の形態＞
［テラヘルツ分光用デバイス１の構成］
図１は、本発明の第１の実施の形態に係るテラヘルツ分光用デバイス１の構成例を示している。また図２は、このテラヘルツ分光用デバイス１の具体的な寸法例を示している。このテラヘルツ分光用デバイス１は、測定を行おうとするテラヘルツ波の波長に対して透明もしくは所定の透過率を持つ材料からなる基板５１を備えている。基板５１は、全体として例えば単一の材料（紫外線硬化樹脂を含む材料等）からなる。基板５１は全体として平板状であり、図２に示したように、厚みが例えば０．１ｍｍ〜１０ｍｍ程度、横方向および縦方向の長さが例えば１０ｍｍ〜３００ｍｍ程度となっている。
【００２５】
基板５１には、入力端５８および出力端５３と、入力端５８と出力端５３との間でテラヘルツ波の伝搬を行うエアクラッド型の導波路（コア）とが設けられている。入力端５８には、例えばフェムト秒レーザと光伝導アンテナとを用いて発生させたテラヘルツ波５０が入力される。出力端５３からは導波路を伝搬した後のテラヘルツ波５４が出力される。
【００２６】
導波路は、入力端５８と出力端５３との間で経路が分岐する第１の分岐路５６Ａと第２の分岐路５６Ｂとを含んでいる。そして、入力端５８から入力されたテラヘルツ波が、第１の分岐路５６Ａと第２の分岐路５６Ｂとに２分岐して伝搬された後、出力端５３側で１つの経路に合成されて出力される構造とされている。第１の分岐路５６Ａと第２の分岐路５６Ｂは、入力端５８側で共通路５７に共通接続され、出力端５３側で共通路５５に共通接続されている。導波路の構成要素である共通路５５、第１の分岐路５６Ａ、第２の分岐路５６Ｂおよび共通路５７はそれぞれ、テラヘルツ波を伝搬させるために、図２に示したように、断面積（テラヘルツ波の進行方向に直交する方向の断面の面積）が１００ｍｍ2未満となっている。これら導波路の構成要素の断面形状は例えば矩形状とされている。導波路は、入力端５８および出力端５３の近傍で基板５１と繋がっていることで基板５１に保持される両持ち梁構造となっている。なお、導波路をエアクラッド型のテラヘルツ導波路として機能させるためには、測定に用いるテラヘルツ波の波長に応じて必要な屈折率の材料とコア径などのコア形状を決める。これには例えばビーム伝搬法や時間領域有限差分法などの数値計算手法により設計を行う。本実施の形態では、クラッド部を持たない導波路構造によってテラヘルツエバネッセント波を発生させることが目的であるので、形状と寸法は上述したものに限るものではない。
【００２７】
基板５１には、被測定対象物（例えば液体試料）が収容される第１の収容部５２Ａおよび第２の収容部５２Ｂが設けられている。第１の収容部５２Ａおよび第２の収容部５２Ｂには、例えば注射器などを用いて液体試料が注入される。第１の収容部５２Ａおよび第２の収容部５２Ｂは、導波路の周囲において、導波路を伝搬するテラヘルツ波がエバネッセント波として伝搬する領域を含む領域に形成されている。より詳しくは、第１の収容部５２Ａが、第１の分岐路５６Ａを伝搬するテラヘルツ波がエバネッセント波として伝搬する領域を含む領域に形成されている。また第２の収容部５２Ｂが、第２の分岐路５６Ｂを伝搬するテラヘルツ波がエバネッセント波として伝搬する領域を含む領域に形成されている。第１の収容部５２Ａおよび第２の収容部５２Ｂは、被測定対象物を充填させるための空間となっていれば良く、その形状は図示したものに限定されるものではない。
【００２８】
第１の収容部５２Ａおよび第２の収容部５２Ｂは、基板５１における第１の面（表面）側が開放されると共に、第１の面に対向する第２の面（裏面）側が閉じた領域とされた掘り込み型の構造を有している。第１の収容部５２Ａおよび第２の収容部５２Ｂにおける第２の面側の厚みは、テラヘルツ波の波長未満の厚みとされていることが好ましい。テラヘルツ波の波長未満の厚みとすることで、第１の収容部５２Ａおよび第２の収容部５２Ｂにおけるテラヘルツ波の放射損失を最低限に抑えることができる。
【００２９】
第１の収容部５２Ａおよび第２の収容部５２Ｂは、エアクラッド型の導波路を形成するための空隙部としての機能を兼ねている。このため、第１の収容部５２Ａおよび第２の収容部５２Ｂは、基板５１において入力端５８と出力端５３との間で、テラヘルツ波が伝搬されるエアクラッド型の導波路が形成されるように、導波路の周囲を囲む（挟み込む）ようにして設けられている。なお、第１の分岐路５６Ａと第２の分岐路５６Ｂとに挟まれた領域には、収容部としての機能のない空隙部５９が設けられている。
【００３０】
［テラヘルツ分光用デバイス１による作用および効果］
このテラヘルツ分光用デバイス１では、単一の基板５１内に存在するエアクラッド型の導波路によりテラヘルツ波を伝搬させることで、その導波路の近傍にエバネッセント波を発生させる。そのエバネッセント波が伝搬する領域を含む領域に第１の収容部５２Ａおよび第２の収容部５２Ｂを形成し、被測定対象物を収容することで、テラヘルツ波と被測定対象物とを相互作用させる。ここで発生するテラヘルツエバネッセント波は、波数ベクトル方向に指数関数的に減衰する電磁波であるが、エアクラッド型の導波路の設計パラメータであるコア形状およびコア径、そして用いる材料によりその減衰距離の制御が可能である。このため、上述の第１の収容部５２Ａおよび第２の収容部５２Ｂで起こるテラヘルツ波と被測定対象物との相互作用の大小を制御することが可能である。
【００３１】
このような方法により、プリズム光学系やシリコンロッドなどを用いずとも、水などの強いテラヘルツ吸収物質によるテラヘルツ吸収係数を実効的に小さくすることが可能となり、水などの強いテラヘルツ吸収物質中の分子などの吸収スペクトルを良好に得ることが可能となる。この場合、例えば数μｍの基板製造誤差が分光性能に大きな影響を与えるということはなく、基板製造時の寸法公差による分光性能への影響を低減できる。また、このテラヘルツ分光用デバイス１で用いられているテラヘルツ領域でのエアクラッド型の導波路構造は、例えば光通信帯のフォトニック結晶構造と比べて導波路部分のコア径が数１０倍から数１００倍であるため、比較的高精度な製造公差は要求されず、紫外線硬化樹脂を含む材料を用いた光造形やインプリント成型による大量製造生産が可能である。
【００３２】
以上のように本実施の形態に係るテラヘルツ分光用デバイス１によれば、極薄い液体セル、プリズム光学系、およびシリコンロッドなどを用いずに、テラヘルツ波に対して大きな吸収を有する物質のテラヘルツ透過スペクトル測定を良好に行うことが可能となる。
【００３３】
また、このテラヘルツ分光用デバイス１によれば、導波路が第１の分岐路５６Ａと第２の分岐路５６Ｂとを含む構造にしているため、収容部を第１の収容部５２Ａと第２の収容部５２Ｂとを含む構造にすることが可能である。これにより、Mach-zehnder干渉型の位相差検出法による測定が可能になる。例えば第１の収容部５２Ａに参照用の試料（例えば健常者の血液）を収容すると共に、第２の収容部５２Ｂに被測定対象物（例えば被測定対象者の血液）を収容する。そして、２つの分岐路５６Ａ，５６Ｂを伝搬したテラヘルツ波の位相差成分を検出することで、測定したい物質が水などの強いテラヘルツ吸収物質中に微量だけ含まれる分子のような場合であっても、高い測定分解性能での測定が可能になる。位相差検出法では、吸収スペクトルを測定するよりも測定分解能が高くなるため、強い吸収物質中の微量な分子などの測定が可能である。
【００３４】
［テラヘルツ分光装置への適用例］
図３は、テラヘルツ分光用デバイス１を用いたテラヘルツ分光装置の一例を示している。このテラヘルツ分光装置は、フェムト秒レーザ９０と、ビームスプリッタ９１と、光伝導アンテナ９２Ａ，９２Ｂと、シリコンレンズ９３Ａ，９３Ｂと、放物面鏡９４，９６と、シリコンレンズ９５Ａ，９５Ｂと、反射鏡９７と、時間遅延器９８とを備えている。
フェムト秒レーザ９０と光伝導アンテナ９２Ａは、本発明における「発生手段」の一具体例に相当する。また、主として光伝導アンテナ９２Ｂが、本発明における「検出手段」の一具体例に相当する。
【００３５】
図４は、図１に示したテラヘルツ分光用デバイス１を図３に示したテラヘルツ分光装置に導入する場合の設置方法の一例を示している。テラヘルツ分光用デバイス１は、エバネッセント波を用いた測定を行うため、例えばデバイスの底面が床面に密着または密接した状態で測定を行うと、放射損失によって測定に悪影響を及ぼすおそれがある。そこで、デバイスの底面および表面近傍には、障害物が無い状態で測定を行うことが好ましい。例えば導波路および収容部５２Ａ，５２Ｂから離れた位置において基板５１を部分的に支持することにより、テラヘルツ分光用デバイス１を空間中に浮かせた状態で測定を行うことが好ましい。図４に示した設置例では、土台用基板４０の上で、柱状の支持部４１によって四隅でテラヘルツ分光用デバイス１を部分的に支持することによりデバイス全体を空間中に浮かせた状態にしている。支持部４１は、導波路を伝搬するテラヘルツ波が発生するエバネッセント波が及ばない十分な距離（例えば１０ｍｍ以上）離して設置する。なお、図４の設置例では、デバイスの下側から支持部４１で支持する構造であるが、上側からデバイスを支持する構造であっても良い。例えば図４の設置例とは上下逆に、土台用基板４０を最も上側に配置して、そこから支持部４１を介してデバイス全体を吊り下げるような構造であっても良い。
【００３６】
［テラヘルツ分光装置による測定動作］
図３に示したテラヘルツ分光装置において、フェムト秒レーザ９０から１００ｆｓ（フェムト秒）程度のパルス幅を持つレーザパルスを発生させる。そのレーザパルスをビームスプリッタ９１で分け、一方を低温成長させたＧａＡｓ（ガリウムヒ素）等で作製され、バイアスされた光伝導アンテナ９２Ａのギャップ部に照射してテラヘルツ波を発生させる。そのテラヘルツ波を、光伝導アンテナ９２Ａの直後に設置したシリコンレンズ９３Ａで集め、放物面鏡９４およびシリコンレンズ９５Ａを経て、テラヘルツ分光用デバイス１の入力端５８（図１）に入射させ、内部の導波路に結合する。テラヘルツ分光用デバイス１に入力されたテラヘルツ波は、導波路を伝搬する間に、上述したようにエバネッセント波によって被測定対象物との相互作用がなされて、出力端５３から出力される。テラヘルツ分光用デバイス１から出力されたテラヘルツ波は、シリコンレンズ９５Ｂ、放物面鏡９６、およびシリコンレンズ９３Ｂを経て光伝導アンテナ９２Ｂに結合する。
【００３７】
一方で、ビームスプリッタ９１で分割された他方のレーザパルスが、時間遅延器９８、および反射鏡９７を経て、到達時間がずれた状態で光伝導アンテナ９２Ｂに結合する。この到達時間のずらされた各遅延時間における光伝導アンテナ９２Ｂからの光電流を測定することで、例えば図５（Ａ）に示したようなテラヘルツ波の電界時間波形１００を得ることができる。これをフーリエ変換することで、例えば図５（Ｂ）に示したようなテラヘルツ波のスペクトル１０１を得ることができる。
【００３８】
ここで、まず比較例として、図６〜図８を参照して、導波路構造として２分岐型ではなく単一経路の導波路構造を有する分光用デバイスを用いて、位相差検出法ではなく、被測定対象物の吸収スペクトルを得るための測定手順を説明する。図６は、比較例としての分光用デバイスの収容部に被測定対象物が収容されていない状態で、図３のテラヘルツ分光装置によって得られるテラヘルツ波のスペクトル波形２０を模式的に示している。図７は、比較例としての分光用デバイスの収容部に被測定対象物を収容した状態で得られるテラヘルツ波のスペクトル波形２１を模式的に示している。
【００３９】
このように、被測定対象物が収容されていない状態で得られたスペクトル波形２０と、被測定対象物を収容した状態で得られたスペクトル波形２１とを測定し、さらにそれらの比を求める。これにより、例えば図８に示したように、被測定対象物のテラヘルツ波に対する吸収スペクトル波形２２を得ることができる。
【００４０】
これに対して、図９は、図１に示したテラヘルツ分光用デバイス１を用いてMach-zehnder干渉型の位相差検出法により得られた、テラヘルツ波に対するスペクトル波形２３を模式的に示している。例えば第１の収容部５２Ａに参照用の試料（例えば健常者の血液）を収容すると共に、第２の収容部５２Ｂに被測定対象物（例えば被測定対象者の血液）を収容する。そして、２つの分岐路５６Ａ，５６Ｂを伝搬したテラヘルツ波の位相差成分を検出することで、図９に示したスペクトル波形２３を得ることができる。このような位相差検出法によって、図８に示したような吸収スペクトル波形２２を求める方法よりも測定分解能が高くなり、強い吸収物質中の微量な分子などの測定が可能となる。
【００４１】
＜第２の実施の形態＞
［テラヘルツ分光用デバイス２の構成］
図１０は、本発明の第２の実施の形態に係るテラヘルツ分光用デバイス２の構成例を示している。また図１１は、このテラヘルツ分光用デバイス２の具体的な寸法例を示している。図１に示したテラヘルツ分光用デバイス１はエアクラッド型の導波路構造を有するものであったが、このテラヘルツ分光用デバイス２はフォトニック結晶型の導波路構造を有するものである。
【００４２】
このテラヘルツ分光用デバイス２は、測定を行おうとするテラヘルツ波の波長に対して透明もしくは所定の透過率を持つ材料からなる基板７１を備えている。基板７１は、全体として例えば単一の材料（紫外線硬化樹脂を含む材料等）からなる。基板７１は全体として平板状であり、図１１に示したように、厚みが例えば０．１ｍｍ〜１０ｍｍ程度、横方向および縦方向の長さが例えば１０ｍｍ〜３００ｍｍ程度となっている。
【００４３】
基板７１には、入力端７９および出力端７４と、入力端７９と出力端７４との間でテラヘルツ波の伝搬を行うフォトニック結晶型の導波路とが設けられている。入力端７９には、例えばフェムト秒レーザと光伝導アンテナとを用いて発生させたテラヘルツ波８０が入力される。出力端７４からは導波路を伝搬した後のテラヘルツ波７５が出力される。
【００４４】
基板７１には、第１の面（表面）およびこれに対向する第２の面（裏面）を貫通する孔部（空孔７３）が多数設けられている。空孔７３は、基板７１において入力端７９と出力端７４との間で、テラヘルツ波が伝搬されるフォトニック結晶型の導波路が形成されるように、導波路の周囲を囲むようにして設けられている。空孔７３は円柱状であり、その孔径は用いるテラヘルツ波の波長に応じて例えば数μｍ〜数１００μｍとなっている。隣接する空孔７３の間隔は例えば数μｍ〜数１００μｍとなっている。
【００４５】
ただし、このテラヘルツ分光用デバイス２では、基板７１の材料を用いてフォトニックバンドギャップを発現させ、それによる導波によってテラヘルツエバネッセント波を発生させることが目的であるので、空孔７３の形状と寸法は上記したものに限るものではない。また空孔７３は、内部が完全な空洞でなくとも、基板７１の材料に対して、フォトニック結晶構造を実現可能な適当な屈折率差を有する材料が内部に充填された構造であっても良い。
【００４６】
導波路は、入力端７９と出力端７４との間で経路が分岐する第１の分岐路７７Ａと第２の分岐路７７Ｂとを含んでいる。そして、入力端７９から入力されたテラヘルツ波が、第１の分岐路５６Ａと第２の分岐路５６Ｂとに２分岐して伝搬された後、出力端７４側で１つの経路に合成されて出力される構造とされている。第１の分岐路７７Ａと第２の分岐路７７Ｂは、入力端７９側で共通路７８に共通接続され、出力端７４側で共通路７６に共通接続されている。導波路の構成要素である共通路７６、第１の分岐路７７Ａ、第２の分岐路７７Ｂおよび共通路７８はそれぞれ、テラヘルツ波を伝搬させるために、図１１に示したように、断面積（テラヘルツ波の進行方向に直交する方向の断面の面積）が１００ｍｍ2未満となっている。これら導波路の構成要素の断面形状は例えば矩形状とされている。
【００４７】
基板７１には、被測定対象物（例えば液体試料）が収容される第１の収容部７２Ａおよび第２の収容部７２Ｂが設けられている。第１の収容部７２Ａおよび第２の収容部７２Ｂには、例えば注射器などを用いて液体試料が注入される。第１の収容部７２Ａおよび第２の収容部７２Ｂは、導波路の周囲において、導波路を伝搬するテラヘルツ波がエバネッセント波として伝搬する領域を含む領域に形成されている。より詳しくは、第１の収容部７２Ａが、第１の分岐路７７Ａを伝搬するテラヘルツ波がエバネッセント波として伝搬する領域を含む領域に形成されている。また第２の収容部７２Ｂが、第２の分岐路７７Ｂを伝搬するテラヘルツ波がエバネッセント波として伝搬する領域を含む領域に形成されている。図１０の例では、第１の収容部７２Ａおよび第２の収容部７２Ｂの平面形状および断面形状が矩形状のものとされている。第１の収容部７２Ａおよび第２の収容部７２Ｂの長さは、図１１に示したように例えば１ｍｍ〜１００ｍｍ程度となっている。ただし、第１の収容部７２Ａおよび第２の収容部７２Ｂは、被測定対象物を充填させるための空間となっていれば良く、その形状や大きさは図示したものに限定されるものではない。
【００４８】
第１の収容部７２Ａおよび第２の収容部７２Ｂは、基板７１における第１の面（表面）側が開放されると共に、第１の面に対向する第２の面（裏面）側が閉じた領域とされた掘り込み型の構造を有している。第１の収容部７２Ａおよび第２の収容部７２Ｂにおける第２の面側の厚みは、テラヘルツ波の波長未満の厚みとされていることが好ましい。テラヘルツ波の波長未満の厚みとすることで、第１の収容部７２Ａおよび第２の収容部７２Ｂにおけるテラヘルツ波の放射損失を最低限に抑えることができる。
【００４９】
［テラヘルツ分光用デバイス２による作用および効果］
このテラヘルツ分光用デバイス２では、単一の基板７１内に存在するフォトニック結晶型の導波路によりテラヘルツ波を伝搬させることで、その導波路の近傍にエバネッセント波を発生させる。そのエバネッセント波が伝搬する領域を含む領域に第１の収容部７２Ａおよび第２の収容部７２Ｂを形成し、被測定対象物を収容することで、テラヘルツ波と被測定対象物とを相互作用させる。ここで発生するテラヘルツエバネッセント波は、波数ベクトル方向に指数関数的に減衰する電磁波であるが、フォトニック結晶の設計パラメータである結晶格子サイズと結晶格子間隔、そして用いる材料によりその減衰距離の制御が可能である。このため、上述の第１の収容部７２Ａおよび第２の収容部７２Ｂで起こるテラヘルツ波と被測定対象物との相互作用の大小を制御することが可能である。
【００５０】
このような方法により、プリズム光学系やシリコンロッドなどを用いずとも、水などの強いテラヘルツ吸収物質によるテラヘルツ吸収係数を実効的に小さくすることが可能となり、水などの強いテラヘルツ吸収物質中の分子などの吸収スペクトルを良好に得ることが可能となる。この場合、例えば数μｍの基板製造誤差が分光性能に大きな影響を与えるということはなく、基板製造時の寸法公差による分光性能への影響を低減できる。また、このテラヘルツ分光用デバイス２で用いられているテラヘルツ領域でのフォトニック結晶構造は、例えば光通信帯のフォトニック結晶構造と比べて数１０倍から数１００倍の結晶格子サイズと結晶格子間隔であるため、比較的高精度な製造公差は要求されず、紫外線硬化樹脂を含む材料を用いた光造形やインプリント成型による大量製造生産が可能である。
【００５１】
以上のように本実施の形態に係るテラヘルツ分光用デバイス２によれば、極薄い液体セル、プリズム光学系、およびシリコンロッドなどを用いずに、テラヘルツ波に対して大きな吸収を有する物質のテラヘルツ透過スペクトル測定を良好に行うことが可能となる。
【００５２】
また、このテラヘルツ分光用デバイス２によれば、導波路が第１の分岐路７７Ａと第２の分岐路７７Ｂとを含む構造にしているため、収容部を第１の収容部７２Ａと第２の収容部７２Ｂとを含む構造にすることが可能である。これにより、図１に示したテラヘルツ分光用デバイス１と同様に、Mach-zehnder干渉型の位相差検出法による測定が可能になる。これにより、図１に示したテラヘルツ分光用デバイス１と同様に、測定したい物質が水などの強いテラヘルツ吸収物質中に微量だけ含まれる分子のような場合であっても、高い測定分解性能での測定が可能になる。
【００５３】
＜他の実施の形態＞
本発明は、上記実施の形態に限定されず種々の変形実施が可能である。
例えば、テラヘルツ波の発生手段は、図３に示したようなフェムト秒レーザ９０と光伝導アンテナ９２Ａとを用いたものに限らない。例えば量子カスケードレーザや光パラメトリック発振によって発生させたものを用いても良い。
【符号の説明】
【００５４】
１，２…テラヘルツ分光用デバイス、５０，５４…テラヘルツ波、５１…基板、５２Ａ…第１の収容部（空隙部）、５２Ｂ…第２の収容部（空隙部）、５３…出力端、５５，５７…共通路、５６Ａ…第１の分岐路、５６Ｂ…第２の分岐路、５８…入力端、５９…空隙部、４０…土台用基板、４１…支持部、７１…基板、７２Ａ…第１の収容部、７２Ｂ…第２の収容部、７３…空孔（孔部）、７４…出力端、７５，８０…テラヘルツ波、７６，７８…共通路、７７Ａ…第１の分岐路、７７Ｂ…第２の分岐路、７９…入力端、９０…フェムト秒レーザ、９１…ビームスプリッタ、９２Ａ，９２Ｂ…光伝導アンテナ、９３Ａ，９３Ｂ…シリコンレンズ、９４，９６…放物面鏡、９５Ａ，９５Ｂ…シリコンレンズ、９７…反射鏡、９８…時間遅延器。
【図１】
2011169640.tif 000003
【図２】
2011169640.tif 000004
【図３】
2011169640.tif 000005
【図４】
2011169640.tif 000006
【図５】
2011169640.tif 000007
【図６】
2011169640.tif 000008
【図７】
2011169640.tif 000009
【図８】
2011169640.tif 000010
【図９】
2011169640.tif 000011
【図１０】
2011169640.tif 000012
【図１１】
2011169640.tif 000013